(57)【要約】本発明は、冷却タンク及び冷却タンク内の蒸発器収容スペースに収容された蒸発器を備えた冷却装置ユニット及び／又は冷凍装置ユニットに関する。本発明によると、前記冷却装置ユニット及び／又は冷凍装置ユニットは、前記蒸発器は弾力性及び／又は変形性のある柔らかい詰め物材料からなる多面の被覆を有している。
2008534908.tif 000002
【特許請求の範囲】
【請求項１】
冷却タンク（２）及び前記冷却タンク（２）内の蒸発器収容スペース（７）に収容された蒸発器（８）を備えた冷却装置ユニット及び／又は冷凍装置ユニットであって、
前記蒸発器（８）は、弾力性及び／又は変形性のある柔らかい詰め物材料からなる多面の被覆（１２）を有する冷却装置ユニット及び／又は冷凍装置ユニット。
【請求項２】
請求項１記載の冷却装置ユニット及び／又は冷凍装置ユニットにおいて、
前記被覆（１２）は、少なくとも、前記蒸発器収容スペース（７）の壁と接触する蒸発器（８）の全ての面上に設けられている冷却装置ユニット及び／又は冷凍装置ユニット。
【請求項３】
請求項２記載の冷却装置ユニット及び／又は冷凍装置ユニットにおいて、
前記蒸発器（８）の前記接触面（１３，１４，１５，１６，１７）が完全に前記被覆（１２）で覆われている冷却装置ユニット及び／又は冷凍装置ユニット。
【請求項４】
請求項１〜３のいずれか１つに記載の冷却装置ユニット及び／又は冷凍装置ユニットにおいて、
前記被覆（１２）は、実質的に、前記蒸発器（８）の幅が広い２つの面（１６，１７）及び／又は複数の平坦な面若しくは切り口面（１３，１４，１５）を完全に覆っている冷却装置ユニット及び／又は冷凍装置ユニット。
【請求項５】
請求項１〜４のいずれか１つに記載の冷却装置ユニット及び／又は冷凍装置ユニットにおいて、
前記被覆（１２）は、気泡フォーム、具体的には、独立ポリエチレン気泡フォームからなる冷却装置ユニット及び／又は冷凍装置ユニット。
【請求項６】
請求項１〜５のいずれか１つに記載の冷却装置ユニット及び／又は冷凍装置ユニットにおいて、
前記被覆（１２）は、少なくとも一部が疎水性に形成され、具体的には、疎水性の表面を持つ冷却装置ユニット及び／又は冷凍装置ユニット。
【請求項７】
請求項１〜６のいずれか１つに記載の冷却装置ユニット及び／又は冷凍装置ユニットにおいて、
前記被覆（１２）は、永久的に吸水性がないように形成されている冷却装置ユニット及び／又は冷凍装置ユニット。
【請求項８】
請求項１〜７のいずれか１つに記載の冷却装置ユニット及び／又は冷凍装置ユニットにおいて、
前記被覆（１２）は、複数に分割して形成され、好ましくは、それぞれが蒸発器の面を覆う複数のプレートからなる冷却装置ユニット及び／又は冷凍装置ユニット。
【請求項９】
請求項１〜８のいずれか１つに記載の冷却装置ユニット及び／又は冷凍装置ユニットにおいて、
前記被覆（１２）は、好ましくは、力を伝達すること、及び／又は固く接合すること、具体的には、接着接合することによって、前記蒸発器の表面にそれぞれ面積的に接続されている冷却装置ユニット及び／又は冷凍装置ユニット。
【請求項１０】
請求項１〜９のいずれか１つに記載の冷却装置ユニット及び／又は冷凍装置ユニットにおいて、
前記被覆（１２）は、好ましくは、力を伝達すること、及び／又は固く接合すること、具体的には、接着接合することによって、前記蒸発器（８）を囲むユニット面にそれぞれ面積的に接続されている冷却装置ユニット及び／又は冷凍装置ユニット。
【請求項１１】
請求項１〜１０のいずれか１つに記載の冷却装置ユニット及び／又は冷凍装置ユニットにおいて、
前記蒸発器（８）は、前記蒸発器収容スペース（７）にぴったりフィットするように、好ましくは、前記被覆（１２）を僅かに圧迫する微圧フィットするように収容されている冷却装置ユニット及び／又は冷凍装置ユニット。
【請求項１２】
請求項１〜１１のいずれか１つに記載の冷却装置ユニット及び／又は冷凍装置ユニットにおいて、
前記蒸発器収容スペース（７）は、タブ型凹部（６）を、内部カバーにより閉じることができる前記冷却タンク（２）の内壁に有する冷却装置ユニット及び／又は冷凍装置ユニット。
【請求項１３】
請求項１〜１２のいずれか１つに記載の冷却装置ユニット及び／又は冷凍装置ユニットにおいて、
前記内部カバーは、少なくとも蒸発器（８）の領域においては、前記蒸発器収容スペースに突出するウェブを持たないように形成されており、好ましくは、前記タブ型凹部（６）の枠（１１）上に平らに配置されている冷却装置ユニット及び／又は冷凍装置ユニット。
【請求項１４】
請求項１〜１３のいずれか１つに記載の冷却装置ユニット及び／又は冷凍装置ユニットにおいて、
前記蒸発器（８）は、ねじ込み接続によって、前記冷却タンク（２）の内部壁に固定されている冷却装置ユニット及び／又は冷凍装置ユニット。
【請求項１５】
請求項１〜１４のいずれか１つに記載の冷却装置ユニット及び／又は冷凍装置ユニットにおいて、
前記蒸発器（８）は、積層型蒸発器として形成されている、及び／又は絶縁材からなる前記被覆（１２）が塗布されているシート状金属被覆を有する冷却装置ユニット及び／又は冷凍装置ユニット。
【発明の詳細な説明】
【技術分野】
【０００１】
本発明は、冷却タンク及び蒸発器を備えた冷却装置ユニット及び／又は冷凍装置ユニットに関し、好ましくは、冷却タンク内の蒸発器収容スペースに収容された積層型蒸発器を備えた冷却装置ユニット及び／又は冷凍装置ユニットに関する。
【背景技術】
【０００２】
このような、内部タンクに埋め込まれた蒸発器を備えた冷却装置ユニット及び／又は冷凍装置ユニットにおいて、前記蒸発器は、蒸発器収容のため設けられた蒸発器収容スペース内に比較的正確にフィットするように取り付けられている。前記ユニットの作動時のカチッというノイズは、次のような状態で起こる問題を意味するものである。このようなカチッというノイズは、蒸発器によって蒸発器収容スペースの壁部が繰返し着氷し、それが定期的な霜取り処理で取り除かれることによって生じる。霜取り処理の後は湿気が多く残るため、霜取り後に冷却が行われると、残った水滴が蒸発器の表面と内部タンクとの間で氷結する。これが急に緩和され、氷点から突然脱するとき、この望ましくないカチッというノイズが生じる。
【発明の開示】
【発明が解決しようとする課題】
【０００３】
このような蒸発器の凍結及び徐氷の結果生じるカチッというノイズを除去、又は実質的に低減するため、蒸発機モジュールとユニットの後壁との間に十分な空間をあけ、それにより氷結を完全に回避することが既に提案されている。しかし、そのように空間を規定すると、内部の使用空間のロスが生じてしまう。
【０００４】
したがって、本発明は、従来技術の不都合な点を回避し、さらに効果的に発展するような改良型の冷却装置ユニット及び／又は冷凍装置ユニットを提供することにある。具体的には、有益な内部の使用空間を無駄にすることなく、蒸発器のカチッというノイズを、除去、少なくとも実質的に低減する。
【課題を解決するための手段】
【０００５】
この目的は、請求項１に係る冷却装置ユニット及び／又は冷凍装置ユニットによる発明によって達成される。本発明の好ましい実施の形態は、従属項の主題である。
【０００６】
前述のカチッというノイズを回避するため、まず蒸発器に関して、冷却装置ユニット及び／又は冷凍装置ユニットの内部タンクから前記蒸発器を切り離すことを提案する。本発明によると、蒸発器は、弾力性及び／又は変形性のある柔らかい詰め物材料からなる多面の被覆を有している。この被覆により、蒸発器モジュールと蒸発器周囲、具体的には、冷却タンクの内壁とが一緒に直接凍結されることを防ぐことができる。一方では、蒸発器モジュールと蒸発器周囲とが、また、他方では、詰め物材料と前記ユニットの内壁とが、一緒に冷却されてしまうことは確かである。しかし、熱ひずみによって生じる相対運動は、変形性詰め物材料によって平衡状態となり、突然切断されてしまう接続のため生じるカチッというノイズは消失する。詰め物材料内で起こる相対運動によって、もはや、ひずみとノイズは起こらなくなる。また、前記ユニットの内部の構造スペースを最大限に使うことができる。スペースの無駄は、先に述べた大きく、定義済みの空気間隙に代わる詰め物材料の被覆によって消失する。さらに、この被覆によって気密状態を徐々に作ることができるので、エネルギー効率を損なう原因となる外気は蒸発器を通過できなくなる。詰め物材料は、具体的には、断熱機能を持つことができるため、熱断熱材として機能可能で、エネルギー消費上よい効果をもたらす。
【０００７】
本発明のさらに発展した形態において、このような被覆は、具体的には、蒸発器収容スペースに内で、少なくとも、蒸発器が冷却スペースの壁と接触する蒸発器の接触面上に、設けられている。したがって、この被覆は、蒸発器が凍結する可能性がある部分に設けられることになる。
【０００８】
特定の用途のため、被覆を接触面上の一部に、例えば、ストリップ形状に設けてもよい。しかし、絶縁材からなる被覆は、蒸発器の接触面全体を覆っていることが好ましい。カチッというノイズは、詰め物材料からなる被覆によって蒸発器の接触面全体を覆うことによって、大部分は完全に消去することができる。開いた隣接した端部が残らず、蒸発器ハウジングの枠領域と端部は、絶縁材によって大部分は完全に覆われているように注意することが好ましい。
【０００９】
蒸発器の設計によっては、蒸発器のほかの面が接触面となることもできる。本発明の好適な実施の形態によると、被覆は、実質的に、蒸発器の、幅が広い２つの面と平らな３つの面を完全に覆っている。
【００１０】
被覆は、一般的に、複数の異なる材料から形成されている。本発明の効果的な実施の形態によると、被覆は、気泡フォーム、具体的には、独立ポリエチレン気泡フォームからなる。被覆は、前述の補償変動が得られるよう、少なくともある程度、弾力性と変形性があれば、効果的である。
【００１１】
本発明の特に効果的な実施の形態によると、被覆は、少なくとも一部が疎水性、つまり、撥水性であり、具体的には、少なくとも、被覆の表面が疎水性となるように形成されている。被覆は、ユニットの作動期間中、全く吸水しなければ、効果的である。これは、例えば、独立気泡フォームからなる被覆によって達成できる。
【００１２】
被覆は、一般的に、一体型に形成することができる。いわば、蒸発器は、その接触面で気泡フォームで覆うことができる。しかし、被覆は、蒸発器の接触面、又は接触領域上にぴったりフィットするように配置され、かつ、蒸発器の、開いた隣接端部が残らないように、その隣接端部で互いにぴったり重なる複数の気泡フォーム片を有することが好ましい。
【００１３】
詰め物材料からなる被覆は、数ミリメートルの範囲の僅かな厚みがあれば十分である。本発明の一実施形態によると、被覆の肉厚は、蒸発器の異なる面上では、それぞれ異なる厚みであってもよい。被覆は、具体的には、蒸発器の、冷蔵スペースと面する面の肉厚を、冷却スペースから離れた蒸発器の面、及び／又は蒸発器の平坦面の肉厚よりも大きくしてもよい。冷凍スペースへの熱伝達は、霜取りの動作中、抑制される、又は最小化される。例えば、被覆は、冷却装置ユニットの内部スペースと面する面では、３〜５ｍｍの厚みを有し、蒸発器の他の面では、１〜３ｍｍの厚みを有していてもよい。しかし、本発明の他の実施形態によると、蒸発器の全ての面上で同一でかつ十分な肉厚を有する被覆が使われていることが分かる。
【００１４】
本発明のさらに発展した形態において、被覆は、好ましくは、力を伝達すること、及び／又は固く接合すること、具体的には、接着接合することによって、蒸発器の表面にそれぞれ面積的に接続され、好ましくは、固定される。気泡フォームからなる被覆は、具体的には、蒸発器のシート状金属被覆に接着接合されてもよい。
【００１５】
蒸発器は、そのために準備された蒸発器収容スペースに正確にフィットするように挿入することによって、すでに十分に固定されている。蒸発器収容スペースは、この目的のため、その形状について、蒸発器の外郭に適合されている。被覆の、僅かに弾力性のある変形によって補われる、軽い圧力のフィットで蒸発器収容スペースに挿入される蒸発器の準備をしてもよい。これに関連して、僅かに圧縮された、被覆の気泡フォームは、揺れなしに蒸発器を保持し、蒸発器収容スペース内の衝撃から守る。
【００１６】
さらに、固定手段は、一般的に、なしで済ますことが可能である。しかし、本発明の一実施形態によると、取付けの際、蒸発器が滑ることを防ぐため、力伝達手段を使って、蒸発器を内部タンクに固定させることができる。蒸発器を、プラスチックのプラグやプラスチックの差込金具ではなく、内部タンクの別の場所で複数のねじによって、内部コンテナに固定すれば、効果的であるということが分かっている。これにより、カチッというノイズをさらに低減することができる。
【００１７】
蒸発器収容スペースは、一般的に、様々な構造とすることができる。本発明の一実施形態によると、タンクの内部壁に、内部カバーによって閉じることができる、実質的にタブ型の凹部を備えることができる。蒸発器は、冷却タンクの内部スペースから内部タンク内の蒸発部収容スペースに挿入することができる。内部カバーをタブ型凹部上に配置してタブ型凹部を閉じる場合、蒸発器又は詰め物材料を塗布した被覆は、タブ底やタブ枠、内部カバーに接触する。内部カバーは、蒸発器収容スペースにおける少なくとも蒸発器の領域に突出するウェブを持たず、タブ型凹部の枠上に平らに横たわるように固定されていると効果的である。内部カバーと内部の内部壁との間から生じるカチッというノイズが生じないように、詰め物材料であるシーリングビーズ、具体的には、気泡フォームビーズを内部カバーの枠、及び／又はタブ型凹部で密閉用に使ってもよい。
【発明を実施するための最良の形態】
【００１８】
以下、好適な実施形態と図面に関して、本発明をより詳細に述べる。
【００１９】
各図面に示す冷却装置１は、扉３で閉じることができる、ほぼ立方体の冷却タンク２を備えている。図２に示す冷却タンク２の内部スペース４は、内部タンク５の壁に区画されている。タブ型の凹部６は、扉３に対向する内部タンク５の後側に形成され、蒸発器８が収容される蒸発器収容スペース７を区画する。タブ型凹部６には、図示する実施形態における蒸発器８に加えて、ファン９が収容されており、これは凹部６の上枠に配置される。
【００２０】
タブ型凹部６は、ほぼ長方形をしており、その下端は、真中に向かって軽く傾斜するような構造である（図２参照）。
【００２１】
タブ型凹部６は、図４に示すように、外形を凹部６の外郭に適合させかつ凹部６の外周枠１１に位置させて固定した内部カバー２０で閉じることができる。内部カバー２０は、例えば、泡ビーズを凹部６の左右の側枠１１に塗布することによって、できる限り密閉した状態で枠１１上に位置させている。しかし、この内部カバーは、内部カバーの下端においては、空気が吸引されるように、密閉状態で凹部６の枠１１上に配置していない。図２に示すファン９は、空気が蒸発器８上を上向きに流れて内部カバー２０の上端に設けられたファン孔から再び流れ出るように、凹部６の枠１１の下部と内部カバー２０との間の隙間において空気を吸引するようになっている。
【００２２】
図２に示すように、蒸発器８は、ぴったりフィットした状態でタブ型凹部６に配置されている。蒸発器８の、２つの垂直で平らな側面と、１つの平らな底面とは、タブ型凹部６の側壁上にぴったりフィットした状態で接触させて配置されている。蒸発器収容スペース７は、上側に向うにつれて、蒸発器より大きくなるように形成され、蒸発器への注入空気や排出空気を他のケーブルと共に収容できる空きスペースが残るようになっている。
【００２３】
さらに、蒸発器８は、その厚みがタブ型凹部６の深さとほぼ一致する。この深さは、図２の平面に対して垂直な方向を基準として計測しなければならない。内部カバーが内部タブ５のタブ型凹部６を覆って閉じるように設置されている場合、蒸発器８は、一方では凹部６の底に接触し、他方では内部カバーに接触している。蒸発器８は、それ自体、蒸発器収容スペース７にぴったりフィットした状態で収容され、それ自体で十分に固定されているが、蒸発器は、ねじ込み接続によって、タブ型凹部６の底にねじで取り付けることができるのが好ましい。これによって、具体的には、例えば、取付けの際、チューブやケーブルを収容する空きスペースに、蒸発器が上方に向かってスライドすることを防止する。
【００２４】
図３に示すように、蒸発器８は、疎水性の独立気泡フォームからなる被覆１２によって覆われている。被覆１２は、蒸発器ハウジング８の接触面をいずれの場合も一面に覆っている。蒸発器８は、タブ型凹部６の壁部や内部カバーと前記接触面で接触している。蒸発器８自体は、前記接触面を形成する、いわば、蒸発器８のハウジングを形成する、アルミニウムからなるシート状金属被覆を有している。このアルミニウム金属被覆には、蒸発器８が前記接触面の全ての面で覆われるよう、気泡フォームからなる被覆１２が面積的に接着接合されている。
【００２５】
蒸発器８が、柔らかくて柔軟な詰め物材料からなる前述の被覆１２を有する場合、霜取り処理後に冷却が繰返し行われると、図５に示す凍結状態となる。確かに、蒸発器８の表面は、一方では被覆１２と共に凍結し、他方ではユニット周囲の面を持つ被覆１２、具体的には、凹部６の内部ユニット壁と共に凍結されてしまう。図５には、被覆１２と蒸発器８との間、及び被覆１２と凹部６との間、それぞれの氷膜が示されている。蒸発器８とユニットの内部壁との間で相対熱移動が起こった場合、被覆１２がなくても、凍結氷滴から脱することになる。しかし、被覆１２は、これらの相対移動を補うことができ、したがって、それに伴うカチッというノイズを回避することができる。
【００２６】
これに対し、図６は、本発明の被覆１２のない従来の技術と同様に、被覆のない蒸発器８上で、凹部６の内面に直接氷着が起こる場合を示している。ここで相対移動が起こると、相対移動は補われることはなく、望ましくないカチッというノイズが生じる。
【図面の簡単な説明】
【００２７】
【図１】図１は、本発明の好適な実施形態に係る冷却装置ユニット全体を示す概略図である。
【図２】図２は、図１に示す冷却装置ユニットの冷却タンクの内部を示す概略図であり、扉が開いた状態で、冷却タンクの後壁に位置する蒸発器収容スペースとそのスペースに収納された蒸発器を示している。
【図３】図３は、前記の図に示す冷却装置ユニットの蒸発器を示す概略図であり、蒸発器のシート状の金属被覆上に設けられた絶縁材からなる被覆を示している。
【図４】図４は、冷却タンクの後壁内の蒸発器収容スペースを閉じるための内部タンクカバーを示す概略図である。
【図５】図５は、被覆を備えた蒸発器と周囲の面とにおいて採用された状態での凍結を示す概略図である。
【図６】図６は、被覆を備えていない蒸発器と周囲の面とにおいて採用された状態での凍結を示す概略図である。
【図１】
2008534908.tif 000003
【図２】
2008534908.tif 000004
【図３】
2008534908.tif 000005
【図４】
2008534908.tif 000006
【図５】
2008534908.tif 000007
【図６】
2008534908.tif 000008
【国際調査報告】
2008534908.tif 000009
2008534908.tif 000010
2008534908.tif 000011
2008534908.tif 000012